(57)【要約】【課題】ゲートドライバ内の出力回路において、表示データのビットに関係なく、常に単位時間あたりの出力電圧変化量が最大に固定されることにより、前記液晶表示装置等のマトリックス型表示装置全体の消費電力が増加する。【解決手段】マトリックス状に配置された複数の信号線及び複数のゲート線の各交点に配置された複数の画像表示素子、及び複数の画像表示素子に対向して配置された対向電極とを有する液晶表示パネルと、信号線を駆動するソースドライバと、液晶表示パネルに表示されるべき表示データに応じた単位時間あたりの出力電圧変化量でゲート線及び／または対向電極を駆動するゲートドライバ１０１、１０２、１０５、１０６、１０７、１０８、１０９とを備える。【選択図】  図１
2004212811.tif 000002
【特許請求の範囲】
【請求項１】
マトリックス状に配置された複数の信号線及び複数のゲート線の各交点に配置された複数の画像表示素子、及び前記複数の画像表示素子に対向して配置された対向電極とを有する表示パネルと、
前記信号線を駆動するソースドライバと、
前記表示パネルに表示されるべき表示データに応じた単位時間あたりの出力電圧変化量で前記ゲート線及び／または前記対向電極を駆動するゲートドライバとを備えたマトリックス型表示装置。
【請求項２】
前記ゲートドライバは、前記ゲート線に印加する電圧及び／または前記対向電極に印加する電圧の極性を変化させるための駆動を行う際に、前記出力電圧変化量で前記ゲート線及び／または前記対向電極を駆動する請求項１記載のマトリックス型表示装置。
【請求項３】
前記ゲートドライバは、１水平走査期間毎に前記ゲート線に印加する電圧及び／または前記対向電極に印加する電圧の極性を反転させる請求項２記載のマトリックス型表示装置。
【請求項４】
マトリックス状に配置された複数の信号線及び複数のゲート線の各交点に配置された複数の画像表示素子、及び前記複数の画像表示素子に対向して配置された対向電極とを有する表示パネルと、
前記信号線を駆動するソースドライバとを備えたマトリックス型表示装置を駆動するマトリックス型表示装置の駆動方法であって、
前記表示パネルに表示されるべき表示データに応じた単位時間あたりの出力電圧変化量で前記ゲート線及び／または前記対向電極を駆動するステップを備えたマトリックス型表示装置の駆動方法。
【発明の詳細な説明】
【０００１】
【発明の属する技術分野】
本発明はノート型パソコンや小型情報端末機器に用いられる情報表示用あるいはテレビジョンなどの映像表示用のディスプレイとして有用な液晶表示装置等のマトリックス型表示装置、及びマトリックス型表示装置の駆動方法に関するものである。
【０００２】
【従来の技術】
近年、マルチメディアの技術革新により小型情報端末機器や携帯電話に代表されるような屋外で使用する液晶表示パネルが要望されている。それに加え、使用時間をより長くするために電池の消耗を少なくするため、液晶表示装置全体の消費電力を低減することが必要不可欠となってきている（例えば、特許文献１参照。）。
【０００３】
以下に従来のマトリックス型表示装置を代表して、液晶表示装置を例にとって図５を使用して説明する。
【０００４】
図５は、ゲートドライバの構成を示した図である。
【０００５】
５０１は、信号処理回路より供給されたゲートドライバ制御信号に基づいて処理を行う制御信号処理回路である。
【０００６】
５０２は、ソースドライバを駆動する電圧および液晶表示パネルを駆動する電圧をそれぞれ制御する駆動電圧生成回路である。
【０００７】
５０３は、昇圧を行う昇圧回路である。
【０００８】
５０４は、対向電極電圧、ゲートオン電圧、ゲートオフ電圧など液晶表示パネルを駆動するために必要な電圧を生成する液晶駆動レベル生成回路である。
【０００９】
５０５は、信号レベルを変換するレベルシフターである。
【００１０】
５０６は、液晶表示パネル内のゲート線を駆動するゲート線駆動回路である。
【００１１】
５０７は、昇圧回路５０３および液晶駆動レベル生成回路５０４で生成された電圧を液晶表示パネルに伝送する出力回路である。
【００１２】
ＳＧ５１は、液晶表示装置全体を制御する信号処理回路から出力されたゲートドライバ制御信号（タイミングクロック信号、出力制御信号等）である。
【００１３】
ＳＧ５２は、液晶パネル上のゲート線を駆動する電圧である。
【００１４】
ＳＧ５３は、ソースドライバおよび液晶表示パネルを駆動する電圧である。ＳＧ５３としては具体的には、例えば、対向電極に印加する対向電極電圧や、ゲートをオフさせる電圧であるゲートオフ電圧や、ゲートをオンさせる電圧であるゲートオン電圧などがある。
【００１５】
ゲートドライバは、ゲートドライバ制御信号ＳＧ５１に基づいて、制御信号処理回路５０１、レベルシフター５０５、ゲート線駆動回路５０６を経由し、ＳＧ５２を出力する。昇圧回路５０３および液晶駆動電圧レベル生成回路５０４は、ゲートドライバに入力された制御信号ＳＧ５１により、ソースドライバおよび液晶表示パネルを駆動する電圧ＳＧ５３を生成し、出力回路５０７を経由して、液晶表示装置へと伝送する。
【００１６】
以上のような構成において、出力回路５０７は、１水平走査期間毎に対向電極電圧、ゲートオフ電圧、及びゲートオン電圧をその極性を反転させて出力する。そして、ゲートドライバにおける液晶駆動レベル生成回路５０４に接続している出力回路５０７は、対向電極電圧、ゲートオフ電圧、及びゲートオン電圧を出力する際に、表示データのビットに関係なく、単位時間あたりの出力電圧変化量が常に一定である。例えば、ノーマリーホワイトタイプの液晶表示パネルにおいて、黒の多い表示パターンを表示させる場合と白の多い表示パターンを表示させる場合を比較すると、白の多い表示パターンを表示させる場合の方が黒の多い表示パターンを表示させる場合よりも単位時間あたりの出力電圧変化量は少なくなるにも関わらず、単位時間あたりの出力電圧変化量は、黒を表示するために必要な値に固定されていた。
【００１７】
【特許文献１】
特開平０７−１６０２１５号公報
【００１８】
【発明が解決しようとする課題】
しかしながら、ゲートドライバ内の出力回路において、表示データのビットに関係なく、常に単位時間あたりの出力電圧変化量が最大に固定されることにより、前記液晶表示装置等のマトリックス型表示装置全体の消費電力が増加するという課題があった。
【００１９】
本発明は、上記課題を考慮し、表示データのビットに応じた単位時間あたりの出力電圧変化量で駆動電圧を供給することが可能なマトリックス型表示装置、及びマトリックス型表示装置の駆動方法を提供することを目的とするものである。
【００２０】
【課題を解決するための手段】
上述した課題を解決するために、第１の本発明は、マトリックス状に配置された複数の信号線及び複数のゲート線の各交点に配置された複数の画像表示素子（４０８、４０９、４１１）、及び前記複数の画像表示素子に対向して配置された対向電極（４０４）とを有する表示パネル（４０１）と、
前記信号線を駆動するソースドライバ（４０３）と、
前記表示パネルに表示されるべき表示データに応じた単位時間あたりの出力電圧変化量で前記ゲート線及び／または前記対向電極を駆動するゲートドライバ（１０１、１０２、１０５、１０６、１０７、１０８、１０９、）とを備えたマトリックス型表示装置である。
【００２１】
また、第２の本発明は、前記ゲートドライバ（１０１、１０２、１０５、１０６、１０７、１０８、１０９、）は、前記ゲート線に印加する電圧及び／または前記対向電極に印加する電圧の極性を変化させるための駆動を行う際に、前記出力電圧変化量で前記ゲート線及び／または前記対向電極（４０４）を駆動する第１の本発明のマトリックス型表示装置である。
【００２２】
また、第３の本発明は、前記ゲートドライバ（１０１、１０２、１０５、１０６、１０７、１０８、１０９、）は、１水平走査期間毎に前記ゲート線に印加する電圧及び／または前記対向電極（４０４）に印加する電圧の極性を反転させる第２の本発明のマトリックス型表示装置である。
【００２３】
また、第４の本発明は、マトリックス状に配置された複数の信号線及び複数のゲート線の各交点に配置された複数の画像表示素子、及び前記複数の画像表示素子に対向して配置された対向電極とを有する表示パネルと、
前記信号線を駆動するソースドライバとを備えたマトリックス型表示装置を駆動するマトリックス型表示装置の駆動方法であって、
前記表示パネルに表示されるべき表示データに応じた単位時間あたりの出力電圧変化量で前記ゲート線及び／または前記対向電極を駆動するステップを備えたマトリックス型表示装置の駆動方法である。
【００２４】
【発明の実施の形態】
以下に本発明の実施の形態を図面を参照して説明する。
【００２５】
図４は本発明の一実施形態における液晶表示装置全体の構成を示した図である。
【００２６】
４０１は液晶表示パネルであり、マトリックス上に配置された複数のゲート線と複数の信号線との各交差する点にそれぞれ画素が配置されている構成を有している。
【００２７】
４０２はゲートドライバであり、後述する信号処理回路４１０から供給されるゲートドライバ制御信号ＳＧ４１に応答して、液晶表示パネル４０１内の各ゲート線Ｘ１，Ｘ２，Ｘ３，…，Ｘｎを順次駆動する機能を有している。また、このゲートドライバ４０２は、内蔵する駆動電圧生成回路から供給される電圧を前記各画素の後述する蓄積容量４０８に印加する機能も有している。
【００２８】
４０３はソースドライバであり、信号処理回路４１０から供給されるソースドライバ制御信号ＳＧ４２および表示データＳＧ４４と前記駆動電圧生成回路から供給される画素電極印加電圧に応じた基準電圧に応答して、液晶表示パネル４０１内の各信号線を駆動する機能を有している。
【００２９】
４０４は対向電極であり、前記各画素の後述する液晶層４０９に印加する電圧を供給する機能を有している。
【００３０】
４０５，４０６，４０７は、前記ゲート線と前記信号線とがマトリックス状に交差する点に作られたスイッチング素子すなわちトランジスタ４１１のそれぞれゲート電極、ソース電極、ドレイン電極である。
【００３１】
４０８は前記トランジスタがＯＦＦしている間、前記ソースドライバ４０３よりの表示データＳＧ４４を保持する蓄積容量であり、一端は前記トランジスタのドレイン電極４０７および後述する液晶層４０９の一端に接続されており、他の一端はゲート電極Ｘ１，Ｘ２，Ｘ３，…，Ｘｎに接続されている。
【００３２】
４０９は液晶層であり、一端は前記トランジスタのドレイン電極４０７および蓄積容量４０８の一端に接続されており、他の一端は前記対向電極４０４に接続されている。
【００３３】
Ｘ１，Ｘ２，Ｘ３，…，Ｘｎ、Ｙ１，Ｙ２，Ｙ３，…，Ｙｎはそれぞれ液晶表示パネル４０１内のゲート線、信号線である。
【００３４】
４１０は液晶表示装置全体を制御する信号処理回路であり、外部から入力される表示データおよび制御信号（タイミング用のクロック信号、水平および垂直同期信号など）に基づいて、前記液晶表示パネル４０１の各画素への書き込みおよび表示を行うための各種制御機能を有している。前記ゲートドライバ４０２とソースドライバ４０３を通して、前記液晶表示パネル４０１を駆動するために必要な後述する各制御信号ＳＧ４１，ＳＧ４２を生成する機能、表示データを所望の極性をもつデータに変換して出力する機能、後述する表示データのビット比較を行うビット比較信号ＳＧ４３を制御するための制御信号を生成する機能も有している。
【００３５】
ＳＧ４１は、前記ゲートドライバ４０２を制御するゲートドライバ制御信号である。
【００３６】
ＳＧ４２は、前記ソースドライバ４０３を制御するソースドライバ制御信号である。
【００３７】
ＳＧ４３は、表示データのビット比較を行うビット比較信号である。
【００３８】
ＳＧ４４は、前記液晶表示パネル４０１に表示させるための表示データである。
【００３９】
つぎに、このような構成での液晶表示装置の動作について説明する。
【００４０】
図４において、信号処理回路４１０よりの制御信号は、ゲートドライバ４０２およびソースドライバ４０３に伝送される。ゲートドライバ４０２のＸ１番端子からゲート信号が対応するゲート線に加わると、前記ゲート線に接続しているすべてのトランジスタが同時にＯＮする。次に、ソースドライバ４０３の全出力端子から表示データが前記信号線から前記トランジスタを経由して、一斉に液晶層４０９に印加される。ここで、Ｘ１番端子以外のゲートドライバ４０２の端子に対応する前記トランジスタのゲート電極４０５ではゲート信号が加わらないため、トランジスタがＯＦＦされている。そのために、前記トランジスタのソース電極４０６から表示データが供給されても、液晶層４０９の状態は変化しない。Ｘ１番端子に接続されているすべてのトランジスタのゲートが１水平走査時間で終了すると、ゲートドライバ４０２のＸ１番端子の出力は立ち下がり、同時にゲートドライバ４０２のＸ２番端子からゲート信号が対応するゲート電極に加わり、Ｘ２番端子に対応するゲート電極に接続しているすべてのトランジスタが同時にＯＮし、ソースドライバ４０３からＸ２番端子の液晶層４０９に表示データが印加される。
【００４１】
図１は、図４におけるゲートドライバの構成を示したものである。
【００４２】
１０１は、信号処理回路より供給されたゲートドライバ制御信号に基づいて処理を行う制御信号処理回路である。
【００４３】
１０２は、ソースドライバを駆動する電圧および液晶表示パネルを駆動する電圧をそれぞれ制御する駆動電圧生成回路である。
【００４４】
１０３は、昇圧を行う昇圧回路である。
【００４５】
１０４は、対向電極電圧、ゲートオン電圧、ゲートオフ電圧など液晶表示パネルを駆動するために必要な電圧を生成する液晶駆動レベル生成回路である。
【００４６】
１０５は、信号レベルを変換するレベルシフターである。
【００４７】
１０６は、液晶表示パネル内のゲート線を駆動するゲート線駆動回路である。
【００４８】
１０７は、昇圧回路５０３および液晶駆動レベル生成回路１０４で生成された電圧を液晶表示パネルに伝送する出力回路である。
【００４９】
１０８は、ゲートドライバに入力された表示データのビットを検出するビット検出回路である。
【００５０】
１０９は、入力された表示データに最適な単位時間あたりの出力電圧変化量を制御する電圧能力選択回路である。
【００５１】
ＳＧ１１は、液晶表示装置全体を制御する信号処理回路からのゲートドライバ制御信号（タイミングクロック信号、出力制御信号等）である。
【００５２】
ＳＧ１２は、液晶パネル上のゲート線を駆動する電圧である。
【００５３】
ＳＧ１３は、ソースドライバおよび液晶表示パネルを駆動する電圧である。
【００５４】
ＳＧ１４は、表示データのビット比較を行うビット比較信号である。
【００５５】
ＳＧ１５は、外部から供給される液晶表示パネルに表示させるための表示データである。
【００５６】
ゲートドライバは、液晶表示装置全体を制御する信号処理回路からのゲートドライバ制御信号ＳＧ１１の制御に基づいて、制御信号処理回路１０１、レベルシフター１０５、ゲート線駆動回路１０６を経由し、液晶パネル上のゲート線を駆動する信号を出力する。昇圧回路１０３および液晶駆動電圧レベル生成回路１０４は、ゲートドライバに入力された制御信号ＳＧ１１により、ソースドライバおよび液晶表示パネルを駆動する信号を生成し、出力回路１０７を経由して、液晶表示装置へと伝送する。ここで、ソースドライバおよび液晶表示パネルを駆動する信号とは、具体的には、例えば、対向電極に印加する対向電極電圧や、ゲートをオフさせる電圧であるゲートオフ電圧や、ゲートをオンさせる電圧であるゲートオン電圧などである。出力回路１０７は、１水平走査期間毎に対向電極電圧、ゲートオフ電圧、及びゲートオン電圧をその極性を反転させて出力する。すなわち、ゲートドライバは、対向電極電圧、ゲートオフ電圧、及びゲートオン電圧の極性を変化させるための駆動を行う。このように出力回路１０７が対向電極電圧、ゲートオフ電圧、及びゲートオン電圧の極性を変化させるための駆動を行うので、出力回路１は、ある程度の出力電圧変化量能力が必要になる。そして、その出力電圧変化量能力の大小は、表示データに応じたものとなる。従って、本実施の形態では、液晶表示パネルに表示されるべき表示データに応じた単位時間あたりの出力電圧変化量で対向電極電圧、ゲートオフ電圧、及びゲートオン電圧の駆動を行うようにした。
【００５７】
すなわち、表示データＳＧ１５は、ビット検出回路１０８に取り込まれ、信号処理回路からのビット比較信号ＳＧ１４に応じて、表示データを複数の場合に分ける。例えば、ノーマリーホワイトタイプの液晶表示パネルにおいて、表示データが６ビットで構成されており、全てのビットが“１”の時は、表示データは白色、逆に全てのビットが“０”の時は、黒色であるとする。また、ビット比較信号は、表示データの上位２ビットが“１”の場合は白色（下位４ビットのデータは何であってもよい）、上位２ビットが“０”の場合は黒色（白色の場合と同様に、下位４ビットのデータは何であってもよい）、その他の場合は中間調色であると判定し、表示データを３つの場合に分けるものとする。
【００５８】
このように、表示データを組分けすることにより、電圧能力選択回路１０９のスイッチを切り替えることが可能となり、出力回路１０７へ伝送された信号は、ゲートドライバに入力された表示データのビットに応じた最適な単位時間あたりの出力電圧変化量の制御を行うことが可能となり、液晶表示パネルに伝送される。以降、上記動作を繰り返すことにより、液晶表示パネルは表示データを表示することが可能となる。
【００５９】
図２は、電圧能力選択回路１０９の構成の一例を示す図である。
【００６０】
２００ａ，２０１ａ，２０２ａは定電圧源である。
【００６１】
２００ｂ，２０１ｂ，２０２ｂは切り替えスイッチである。
【００６２】
１０８は、ビット検出回路である。
【００６３】
１０９は、電圧能力選択回路である。
【００６４】
１０７は、出力回路である。
【００６５】
ＳＧ２１は、ビット比較信号である。
【００６６】
ＳＧ２２は、ビット比較前のソースドライバおよび液晶表示パネルを駆動する電圧である。
【００６７】
ＳＧ２３は、ビット比較後のソースドライバおよび液晶表示パネルを駆動する電圧である。
【００６８】
本実施の形態においては、定電圧電源２００ａは黒の多い表示パターン、定電圧電源２０１ａは中間調色の多い表示パターン、定電圧電源２０２ａは白の多い表示パターン時に使用されるものとする。例えば、ゲートドライバに入力された表示データが“１０１０１０”であるとすると、ビット検出回路１０８において、表示データは、中間調色の多いデータであると判定される。すると、電圧能力選択回路１０９内の切り替えスイッチが２０１ｂに接続されることにより、中間調色を表示するのに最適な定電圧源が選択され、出力回路１０７から液晶表示パネルにデータが送られる。
【００６９】
図３は、図２における２００ａ，２０１ａ，２０２ａの定電圧源に対応した単位時間あたりの出力電圧変化量能力の一例を示している。
【００７０】
Ａは、黒の多い表示データの場合における単位時間あたりの出力電圧変化量である。
【００７１】
Ｂは、中間調色の多い表示データの場合における単位時間あたりの出力電圧変化量である。
【００７２】
Ｃは、白色の多い表示データの場合における単位時間あたりの出力電圧変化量である。
従って、黒の多い表示データでは、能力のもっとも高い定電圧源２００ａを使用し、時間ｔａにおいてＶＡで示す電圧を供給することが出来、逆に白の多い表示データでは、能力のもっとも低い定電流源２０２ａを使用することにより、時間ｔａにおいてＶＣで示す電圧を供給することが出来る。つまり、入力された表示データのビットに応じた単位時間あたりの出力電圧変化量をもつ電圧が液晶表示パネルに供給されることが可能となる。
【００７３】
本実施の形態によれば、ソースドライバに入力された表示データのビット毎の能力を検出するビット検出回路１０８と、前記ビット検出回路１０８からのデータに応じて出力回路１０７の単位時間あたりの出力電圧変化量を制御する電圧能力選択回路１０９を少なくとも１つ以上有することにより、ゲートドライバの出力回路１０７から液晶表示パネルへの単位時間あたりの出力電圧変化量を、常に表示データに応じた最適な値に切り替えることが可能となり、液晶表示装置全体での不要な電力消費を低減することが可能となる。
【００７４】
なお、これら本発明の実施形態に示される構成は一例であり、電圧能力選択回路１０９における定電圧源の数およびビット比較信号における判定基準は、適宜変更されることはもちろん可能である。
【００７５】
また、本発明の実施形態に示される構成は一実施例であり、図２におけるビット検出回路１０８と電圧能力選択回路１０９は、液晶表示パネルの複数の信号線と接続されている出力回路１０７に内蔵された出力バッファ毎に配置された構成を採る事によっても本発明と同様に不要な消費電力を低減することが可能となる。
【００７６】
また、本実施の形態では、ノーマリーホワイトタイプの液晶表示パネルにおいて説明したが、これに限らず、ノーマリーブラックタイプの液晶表示パネルにいても本実施の形態を適用することが出来る。ノーマリーブラックタイプの液晶表示パネルの場合には、定電圧電源２００ａは白の多い表示パターン、定電圧電源２０１ａは中間調色の多い表示パターン、定電圧電源２０２ａは黒の多い表示パターン時に使用すればよい。
【００７７】
また、本実施の形態では、液晶表示パネルに表示されるべき表示データに応じた単位時間あたりの出力電圧変化量で対向電極電圧、ゲートオフ電圧、及びゲートオン電圧の駆動を行うとして説明したが、これに限らない。液晶表示パネルに表示されるべき表示データに応じた単位時間あたりの出力電圧変化量で対向電極電圧の駆動のみを行うなど、要するに、液晶表示パネルに表示されるべき表示データに応じた単位時間あたりの出力電圧変化量で対向電極電圧、ゲートオフ電圧、及びゲートオン電圧の駆動の少なくとも一つ以上の電圧の駆動を行いさえすればよい。
【００７８】
また、本発明のマトリックス型表示装置は、本実施の形態における液晶表示装置に限らず、プラズマ、エレクトロルミネッセンスなど他のマトリックス型表示装置であってもよい。
【００７９】
このように本実施の形態によれば、マトリックス表示パネルに表示するパターンとして入力されるデータのビット検出回路１０８での結果に基づき、電圧能力選択回路１０９において出力回路１０７での単位時間あたりの出力電圧変化量が表示データ毎に対応した必要最小限の値となるように制御することが可能となり、低消費電力を実現することが可能となる。
【００８０】
すなわち、本実施の形態によれば、マトリックス状に配列された複数のゲート線と複数の信号線の各交差する点にそれぞれ画素が配置され、前記各画素毎に、電圧−光変換物質を間に挟み込むように形成された画素電極および対向電極と、前記各画素を形成している信号線が選択された時に対応するゲート線上の書き込み電荷を前記画素電極に伝達するスイッチング素子と、前記書き込み電荷の保持をする蓄積容量を前記画素電極との間に挟み込むように形成された蓄積容量電極とを具備したマトリックス表示パネルと、前記マトリックス表示パネル内の信号線およびゲート線をそれぞれ駆動する機能を有するソースドライバおよびゲートドライバと、前記ゲートドライバとソースドライバを制御するための制御信号、および表示データをそれぞれ供給する信号処理回路を具備しているマトリックス型表示装置において、前記ゲートドライバで、前記信号処理回路から供給される制御信号を処理する制御信号処理回路、前記ゲートドライバ内部および前記ソースドライバを駆動する電圧を生成する昇圧回路および前記液晶表示パネルを駆動する電圧を生成する液晶駆動レベル生成回路から構成されている駆動電圧生成回路、信号レベルを変換するレベルシフター、前記マトリックス表示パネル内のゲート線を駆動するゲート線駆動回路、表示データのビット検出を前記信号処理回路から供給されるビット比較信号で行うビット検出回路を有して、前記ビット検出回路からの表示データに対応して出力回路における単位時間あたりの出力電圧変化量を制御する電圧能力選択回路を少なくとも１つ以上有することにより、マトリックス型表示装置の全体の消費電力を低減することが可能であるという有利な効果が得られる。
【００８１】
【発明の効果】
以上説明したところから明らかなように、本発明は、表示データのビットに応じた単位時間あたりの出力電圧変化量で駆動電圧を供給することが可能なマトリックス型表示装置、及びマトリックス型表示装置の駆動方法を提供することが出来る。
【図面の簡単な説明】
【図１】図４におけるゲートドライバの構成を示す図である。
【図２】本発明における電圧能力選択回路の構成を示す図である。
【図３】本発明の一実施形態である電圧能力選択回路における、定電圧源のそれぞれの単位時間あたりの出力電圧変化量能力である。
【図４】本発明の一実施形態である、液晶表示装置全体の構成を示す図である。
【図５】従来のゲートドライバの構成図である。
【符号の説明】
１０１  制御信号処理回路
１０２  駆動電圧生成回路
１０３  昇圧回路
１０４  液晶駆動レベル生成回路
１０５  レベルシフター
１０６  ゲート線駆動回路
１０７  出力回路
１０８  ビット検出回路
１０９  電圧能力選択回路
ＳＧ１１  ゲートドライバ制御信号
ＳＧ１２  ゲート線駆動電圧
ＳＧ１３  ソースドライバおよび液晶表示パネル駆動電圧
ＳＧ１４  ビット比較信号
ＳＧ１５  表示データ
２００ａ，２０１ａ，２０２ａ  定電圧源
２００ｂ，２０１ｂ，２０２ｂ  切り替えスイッチ
２０３  ビット検出回路
２０４  電圧能力選択回路
２０５  出力回路
４０１  液晶表示パネル
４０２  ゲートドライバ
４０３  ソースドライバ
４０４  対向電極
４０５  ゲート電極
４０６  ソース電極
４０７  ドレイン電極
４０８  蓄積容量
４０９  液晶層
４１０  信号処理回路
４１１  トランジスタ
ＳＧ４１  ゲートドライバ制御信号
ＳＧ４２  ソースドライバ制御信号
ＳＧ４３  ビット比較信号
ＳＧ４４  表示データ
５０１  制御信号処理回路
５０２  駆動電圧生成回路
５０３  昇圧回路
５０４  液晶駆動レベル生成回路
５０５  レベルシフター
５０６  ゲート線駆動回路
５０７  出力回路
ＳＧ５１  ゲートドライバ制御信号
ＳＧ５２  ゲート線駆動電圧
ＳＧ５３  ソースドライバおよび液晶表示パネル駆動電圧
Ａ  黒の多い表示パターンでの単位時間あたりの出力電圧変化量能力
Ｂ  中間調色の多い表示パターンでの単位時間あたりの出力電圧変化量能力
Ｃ  白の多い表示パターンでの単位時間あたりの出力電圧変化量能力
【図１】
2004212811.tif 000003
【図２】
2004212811.tif 000004
【図３】
2004212811.tif 000005
【図４】
2004212811.tif 000006
【図５】
2004212811.tif 000007